(57)【要約】【目的】本発明はカルバート管路の開き移動対応装置を新規に提供することを目的とするものである。【構成】本発明はコンクリートにてなるカルバートの一側開口端に突出部を有す鋼製カラーを嵌付け、該鋼製カラーの突出部内にカルバートの他側開口端をゴム輪を挟んで突合わせ嵌入する要領により所定個数のカルバートが連結したカルバート管路を布設するものにおいて、所定個数毎のカルバート間に２倍長に増幅した増幅カラーを介在させ、該増幅カラーの突出部内に嵌入するカルバートに増幅分の開き移動を許容するようにしたことを特徴とするカルバート管路の開き移動対応装置にある。【選択図】　　　　図３
2004060294.tif 000002
【特許請求の範囲】
【請求項１】
コンクリートにてなるカルバートの一側開口端に突出部を有す鋼製カラーを嵌付け、該鋼製カラーの突出部内にカルバートの他側開口端をゴム輪を挟んで突合わせ嵌入する要領により所定個数のカルバートが連結したカルバート管路を布設するものにおいて、所定個数毎のカルバート間に２倍長に増幅した増幅カラーを介在させ、該増幅カラーの突出部内に嵌入するカルバートに増幅分の開き移動を許容するようにしたことを特徴とするカルバート管路の開き移動対応装置。
【請求項２】
増幅カラーは２０個ごとのカルバート間に介在させる請求項１記載のカルバート管路の開き移動対応装置。
【請求項３】
増幅カラーの突出外端に一端を止着して内側に板状のゴム環体を取付けて、突合わせ嵌入するカルバートの他端開口端を先端面を含んで被覆する請求項１または２に記載のカルバート管路の開き移動対応装置。
【請求項４】
増幅カラー内は突合わされる双方のカルバートに開き移動を許容する請求項１乃至３のいずれかに記載のカルバート管路の開き移動対応装置。
【請求項５】
増幅カラー内に突合わせ嵌入する他側開口端は２倍長に増長されている請求項１乃至４のいずれかに記載のカルバート管路の開き移動対応装置。
【発明の詳細な説明】
【０００１】
【発明が属する技術分野】
この発明はカルバート管路の開き移動対応装置に関するものである。
【０００２】
【従来の技術】
コンクリート製のカルバートはカルバート間の突合わせ部分に同形の鋼製カラーを外被せ嵌合して、以って所定個のカルバートが連結したカルバート管路を形成してきている。
【０００３】
【発明が解決しようとする課題】
しかしながら、布設するカルバート管路は地盤の変動等により延長方向に開き移動圧が加わることによりゴム輪のずれ動きや管路の損傷等により水洩れ等が生ずるというおそれがある。
【０００４】
【課題を解決するための手段】
本発明はコンクリートにてなるカルバートの一側開口端に突出部を有す鋼製カラーを嵌付け、該鋼製カラーの突出部内にカルバートの他側開口端をゴム輪を挟んで突合わせ嵌入する要領により所定個数のカルバートが連結したカルバート管路を布設するものにおいて、所定個数毎のカルバート間に２倍長に増幅した増幅カラーを介在させ、該増幅カラーの突出部内に嵌入するカルバートに増幅分の開き移動を許容するようにして、かかる課題を解決するものである。
【０００５】
【発明の実施の形態】
図１はコンクリート製カルバート１の多数個を鋼製カラー２を挟んで連結してカルバート管路３を形成した例を示している。各カルバート１は図２に示すように一側の開口端１ａに鋼製カラー２の一半を固定嵌付け、カルバート１の他側開口端１ｂを該鋼製カラー２の他半突き出し部にゴム輪４を挟んで嵌入し、一側開口端１ａに突合わせる要領にてカルバート管路３を形成する。
【０００６】
カルバート管路３中、カルバート１の２０個毎に図３乃至図４に示すように突出し部長を２倍長、すなわち通常の鋼製カラー長が１３０ｍｍ〜１５０ｍｍに対して４００ｍｍ程度に増幅した増幅カラー２ａを介在させる。増幅カラー２ａ内に突合わせ嵌入するカルバート１の他側開口端１ｂは増幅分において増長されていて、図５乃至図６に示すようにＡ幅（３００ｍｍ程度）において開き移動を許容するようになっている。なお鋼製カラー２，増幅カラー２ａおよび他側開口端１ｂは図７（ａ）（ｂ）に示すように角部をＲ形状とし、さらに図８（ａ）（ｂ）に示すように上下左右辺を円曲させるなどして取付けるゴム輪４の偏り緊張が生じないようにしている。またゴム輪４は図９に示すように２本または３本等にて取付けることもある。
【０００７】
また図１０は前例の増幅カラー２ａの突出外端に一端を止着した板状のゴム環体５を内側に配して、突合わせ嵌入するカルバート１の他側開口端１ｂの先端面に接着して被覆するようにした例を示している。他側開口端１ｂが圧により外開き移動すると移動分において他側開口端１ｂに接着されたゴム環体５が追従することによって水封止を続けることとなる。
【０００８】
図１１は両側をカルバート１端に遊嵌する増幅カラー２ｂ内において突合わせ嵌入部を挟んでカルバート１，１の双方がＡ＋Ｂにおいて開き移動が許容される例を示すものである。
【０００９】
以上によりカルバート管路３はカルバート１を２０個程度、すなわち、増幅カラー２ａの部分を境にしてＰＣ鋼棒，ＰＣ撚線６などにて四隅壁内を貫通させるなどして緊縛することができる。
【００１０】
【発明の効果】
本発明は連結するカルバートの所定長ごとに２倍長に増幅した増幅カラーを介在させることにより、カルバートが開き圧により開き移動しても増幅カラー内にて対応して水封止を引き続き維持し、管路の破損や水洩れを防止することができるという効果を生ずる。
【００１１】
増幅カラー内にある２つのカルバートを互いに移動可能にすることにより２つのカルバートをそれぞれ異なる方向への開き移動を許容することができるという効果を生ずる。
【００１２】
増幅カラーの突き出し端に止着する板状のゴム環体を内側に配すことにより突合わせ嵌入するカルバートの他側開口端を先端面を含んで被覆して開き移動しても水封止を持続する効果を生ずる。
【００１３】
増幅カラー内に突合わせ嵌入するカルバートの他側開口端を増長することにより開き移動の許容幅を拡大することができるという効果を生ずる。
【図面の簡単な説明】
【図１】カルバート管路を示す側面図
【図２】通常のカルバートを示す側面図
【図３】増幅カラーを介在するカルバート列の側断面図
【図４】同、接続状態の斜視図
【図５】同、断面図
【図６】増幅カラーの部分で開き移動した管路を示す側面図
【図７】（ａ）はカルバート端を鋼製カラー取付側から見た図、（ｂ）は同、他側開口端から見た図
【図８】（ａ）は上下左右辺を円曲させた例を示す一側開口端図、（ｂ）は、同他側開口端図
【図９】ゴム輪を２本取付けた例を示す側面図
【図１０】（ａ）はゴム輪にかわるゴム環体を取付けた例を示す部分拡大断面図、（ｂ）は同、開き移動した状態の部分拡大断面図
【図１１】両側をカルバート端に各々遊嵌する増幅カラーの例を示す側断面図
【符号の説明】
１はカルバート
１ａは一側の開口端
１ｂは他側の開口端
２は鋼製カラー
２ａ増幅カラー
３はカルバート管路
４はゴム輪
５はゴム環体
６はＰＣ鋼棒，ＰＣ撚線
【図１】
2004060294.tif 000003
【図２】
2004060294.tif 000004
【図３】
2004060294.tif 000005
【図４】
2004060294.tif 000006
【図５】
2004060294.tif 000007
【図６】
2004060294.tif 000008
【図７】
2004060294.tif 000009
【図８】
2004060294.tif 000010
【図９】
2004060294.tif 000011
【図１０】
2004060294.tif 000012
【図１１】
2004060294.tif 000013